(57)【要約】      （修正有）【課題】証拠画像等の特定映像を、確実に収集する。【解決手段】特定映像収集システム１０は、ドライブレコーダ８０およびデータセンタ５０を備える。ドライブレコーダは、車外の状態を撮像して映像ファイルを生成すると、特定映像を含む映像ファイルを用いたハッシュ値とドライブレコーダの識別情報とから予備データを生成し、信号機４０を介してデータセンタに送信する。データセンタは、データベースに予備データを蓄積すると、ドライブレコーダの識別情報を参照して、特定映像を含む映像ファイルの提供依頼データを生成する。データセンタは、提供依頼データをドライブレコーダに送信する。ドライブレコーダは、映像ファイルをデータセンタに送信する。データセンタは、提供依頼データに基づく映像ファイルのハッシュ値と、データベースに蓄積した予備データのハッシュ値とが一致すれば、映像ファイルを採用する。【選択図】図６
2020149518.tif 000002
【特許請求の範囲】
【請求項１】
車外の状態を撮像して映像ファイルを生成する撮像デバイス、特定映像を含む前記映像ファイルを用いたハッシュ値と撮像装置識別情報とから予備データを生成する演算部、前記映像ファイルを記憶する記憶部、および、前記予備データをデータセンタに送信する通信部、を備えた車載型撮像装置と、
前記予備データを蓄積するデータベース、前記特定映像を必要とする場合に、前記撮像装置識別情報を参照して、前記特定映像を含む映像ファイルの提供依頼データを生成するセンタ演算部、および、前記提供依頼データを前記車載型撮像装置に送信するセンタ通信部、を備えたデータセンタと、
を備え、
前記車載型撮像装置の演算部は、前記提供依頼データに基づいて、前記記憶部から前記映像ファイルを読み出し、
前記車載型撮像装置の通信部は、前記映像ファイルを前記データセンタに送信し、
前記データセンタのセンタ演算部は、前記提供依頼データに基づく前記映像ファイルのハッシュ値と、前記データベースに蓄積した前記予備データのハッシュ値とが一致すれば、前記映像ファイルを採用する、
特定映像収集システム。
【請求項２】
前記予備データには、前記特定映像の位置情報が含まれている、
請求項１に記載の特定映像収集システム。
【請求項３】
前記予備データには、前記映像ファイルの生成時刻または前記予備データの受信時刻からなる時刻情報が含まれている、
請求項１または請求項２に記載の特定映像収集システム。
【請求項４】
前記特定映像の元となる事象の発生位置の付近に設置された通信装置を、さらに備え、
前記車載型撮像装置の通信部は、前記予備データを前記通信装置に送信し、
前記通信装置は、
前記予備データに、前記通信装置に関する識別情報を添付して、前記データセンタに送信する、
請求項１乃至請求項３のいずれかに記載の特定映像収集システム。
【請求項５】
車載型撮像装置が、特定映像を含む映像ファイルを生成し、
前記車載型撮像装置が、前記特定映像を含む映像ファイルを用いたハッシュ値と撮像装置識別情報とから予備データを生成して、データセンタに送信し、
前記データセンタが、前記予備データを蓄積し、
前記データセンタが、前記特定映像を必要とする場合に、前記撮像装置識別情報を参照して、前記特定映像を含む映像ファイルの提供依頼データを、前記車載型撮像装置に送信し、
前記車載型撮像装置が、前記提供依頼データに基づいて、前記映像ファイルを、前記データセンタに送信し、
前記データセンタが、前記提供依頼データに基づく前記映像ファイルのハッシュ値と、蓄積した前記予備データのハッシュ値とが一致すれば、前記映像ファイルを採用する、
特定映像収集方法。
【請求項６】
前記予備データには、前記特定映像の位置情報が含まれている、
請求項５に記載の特定映像収集方法。
【請求項７】
前記予備データには、前記映像ファイルの生成時刻または前記予備データの受信時刻からなる時刻情報が含まれている、
請求項５または請求項６に記載の特定映像収集方法。
【発明の詳細な説明】
【技術分野】
【０００１】
本発明は、事故等の特定の映像を収集する技術に関する。
【背景技術】
【０００２】
特許文献１には、交通違反検知装置（従来装置）が記載されている。従来装置は、証拠画像を取得可能な証拠提供装置の経路を取得し、証拠提供装置に対して、証拠画像の提供を依頼する。
【０００３】
そして、従来装置は、証拠画像を取得すると、証拠画像を記録する。
【先行技術文献】
【特許文献】
【０００４】
【特許文献１】特開２０１８−１８０８１０号公報
【発明の概要】
【発明が解決しようとする課題】
【０００５】
しかしながら、証拠画像の提供は、画像が撮影された時刻とは異なり、所定の時間が過ぎた後となる。このため、証拠画像は改ざんが可能である。従来装置は、このような改ざんが行われているか否かを、判断することはできない。すなわち、従来装置は、正確な証拠画像を確実に取得できない場合がある。
【０００６】
また、撮影された時点で証拠画像を取得する場合、証拠画像（特に映像）のデータ容量は、一般的に大きく、従来装置は、証拠画像を確実に取得できるとは限らない。
【０００７】
したがって、本発明の目的は、証拠画像等の特定映像を、確実に収集する技術を提供することである。
【課題を解決するための手段】
【０００８】
本開示の一例によれば、特定映像収集システムは、車載型撮像装置、および、データセンタを備える。車載型撮像装置は、撮像デバイス、演算部、記憶部、および、通信部を備える。撮像デバイスは、車外の状態を撮像して映像ファイルを生成する。演算部は、特定映像を含む映像ファイルを用いたハッシュ値と撮像装置識別情報とから予備データを生成する。記憶部は、映像ファイルを記憶する。通信部は、予備データをデータセンタに送信する。データセンタは、データベース、センタ演算部、および、センタ通信部を備える。データベースは、予備データを蓄積する。センタ演算部は、特定映像を必要とする場合に、撮像装置識別情報を参照して、特定映像を含む映像ファイルの提供依頼データを生成する。センタ通信部は、提供依頼データを車載型撮像装置に送信する。
【０００９】
車載型撮像装置の演算部は、提供依頼データに基づいて、記憶部から映像ファイルを読み出す。車載型撮像装置の通信部は、映像ファイルをデータセンタに送信する。データセンタのセンタ演算部は、提供依頼データに基づく映像ファイルのハッシュ値と、データベースに蓄積した予備データのハッシュ値とが一致すれば、映像ファイルを採用する。
【００１０】
この構成では、特定映像の映像ファイルは、一時的にハッシュ値としてデータセンタに記憶される。この後、データセンタに送信された映像ファイルは、一時的に記憶されているハッシュ値によって照合される。これにより、データセンタに蓄積されるデータ容量は抑えられ、映像ファイルは、正確且つ確実に取得される。
【００１１】
本開示の一例によれば、予備データには、特定映像の位置情報が含まれている。
【００１２】
この構成では、データセンタにおける特定映像の検索が容易になる。
【００１３】
本開示の一例によれば、予備データには、予備データの元となる映像ファイルの生成時刻、予備データの受信の時刻情報が含まれている。
【００１４】
この構成では、データセンタにおける特定映像の検索が容易になる。
【００１５】
本開示の一例によれば、特定映像収集システムは、通信装置を更に備える。通信装置は、特定映像の元となる事象の発生位置の付近に設置されている。車載型撮像装置の通信部は、予備データを通信装置に送信する。通信装置は、予備データに、通信装置に関する識別情報を添付して、データセンタに送信する。
【００１６】
この構成では、車載型撮像装置が、検索用のデータを添付しなくても、データセンタにおける特定映像の検索が容易になる。
【発明の効果】
【００１７】
この発明によれば、証拠画像等の特定映像を確実に収集できる。
【図面の簡単な説明】
【００１８】
【図１】特定映像収集システムの概略構成を示す機能ブロック図である。
【図２】特定映像収集システムが利用される状況の一例を示す図である。
【図３】ドライブレコーダの概略構成を示す機能ブロック図である。
【図４】信号機の概略構成を示す機能ブロック図である。
【図５】データセンタの概略構成を示す機能ブロック図である。
【図６】特定映像収集システムの第１の処理シーケンスを示す図である。
【図７】予備データのデータ構成を示す図である。
【図８】ドライブレコーダの処理フローの一例を示すフローチャートである。
【図９】信号機の処理フローの一例を示すフローチャートである
【図１０】（Ａ）は、データセンタにおける第２予備データの受信時の処理フローの一例を示すフローチャートであり、（Ｂ）は、データセンタにおける映像ファイルの要求から受信、照合時の処理フローの一例を示すフローチャートである。
【図１１】特定映像収集システムの第２の処理シーケンスを示す図である。
【図１２】特定映像収集システムの第３の処理シーケンスを示す図である。
【発明を実施するための形態】
【００１９】
以下、本発明の実施形態を、図を参照して説明する。
【００２０】
・適用例
まず、本実施形態に係る特定映像収集システムの適用例について説明する。図６は、特定映像収集システムの第１の処理シーケンスを示す図である。
【００２１】
図６に示すように、特定映像収集システム１０は、信号機４０、データセンタ５０、ドライブレコーダ８０を備える。
【００２２】
ドライブレコーダ８０は、特定映像を撮像し、映像ファイルを生成する。特定映像とは、この場合、事故の映像である。ドライブレコーダ８０は、映像ファイルを用いてハッシュ値を生成する。ドライブレコーダ８０は、ハッシュ値（第１ハッシュ値）と、ドライブレコーダ８０の識別情報とを用いて、第1予備データ（図７参照）を生成し、信号機４０に送信する。第１予備データには、例えば、映像ファイルを後に特定するための情報（ファイル名等）を含んでいるとよい。
【００２３】
信号機４０は、第1予備データを受信する。信号機４０は、第1予備データの受信時刻を時刻情報として生成する。信号機４０は、この時刻情報と、信号機４０の位置情報とから付帯情報を生成する。信号機４０は、第1予備データと付帯情報とから、第２予備データ（図７参照）を生成し、データセンタ５０に送信する。
【００２４】
データセンタ５０は、第２予備データを受信して、データベース５００に記憶する。
【００２５】
データセンタ５０は、第２予備データを参照して、映像ファイルの提供を依頼する提供依頼データを生成する。データセンタ５０は、ドライブレコーダ８０もしくはドライブレコーダ８０の持ち主の情報通信端末に送信する。
【００２６】
ドライブレコーダ８０は、提供依頼データを受信し、映像ファイルを、データセンタ５０に送信する。この際、ドライブレコーダ８０は、提供依頼データに含まれる映像ファイルを特定できる情報（上述の付帯情報やファイル名等）に基づいて、映像ファイルを選択する。
【００２７】
データセンタ５０は、映像ファイルを受信する。データセンタ５０は、受信した映像ファイルを用いてハッシュ値（第２ハッシュ値）を生成する。データセンタ５０は、第２ハッシュ値と第１ハッシュ値とを照合する。データセンタ５０は、第２ハッシュ値と第１ハッシュ値とが一致すれば、受信した映像ファイルを採用する。
【００２８】
このような構成および処理を用いることによって、特定映像収集システム１０は、データベース５００に蓄積されるデータ容量が必要以上に大きくなることを抑制できる。また、特定映像収集システム１０は、提供された映像ファイルが改ざん等されていないものであることを識別できる。これにより、特定映像収集システム１０は、正確な映像ファイルを確実に収集できる。また、データベース５００に蓄積されるデータは、ハッシュ値であるため、ドライブレコーダ８０の所有者等のプライバシーは、保護できる。
【００２９】
・構成例
（第１実施形態）
本発明の第１の実施形態に係る特定映像収集システムおよび特定映像収集方法について、図を参照して説明する。図１は、特定映像収集システムの概略構成を示す機能ブロック図である。図２は、特定映像収集システムが利用される状況の一例を示す図である。
【００３０】
（全体の概要構成）
図１に示すように、特定映像収集システム１０は、ドライブレコーダ８０、信号機４０、および、データセンタ５０を備える。ドライブレコーダ８０は、本発明の「車載型撮像装置」に対応する。信号機４０とデータセンタ５０は、データ通信用のネットワーク５５０を介して接続されている。また、ドライブレコーダ８０と信号機４０とは、無線通信が可能であり、ドライブレコーダ８０とデータセンタ５０とは、無線通信が可能である。なお、信号機４０とデータセンタ５０とも、無線通信が可能であるが、通信の信頼性を考慮すると、有線のデータ通信用のネットワーク５５０で通信を行うことが好ましい。
【００３１】
（利用される状況の説明）
図２に示すように、ドライブレコーダ８０は、車両８００に搭載されている。ドライブレコーダ８０は、車両８００の車外を撮像する。より具体的には、ドライブレコーダ８０は、車両８００の前方の領域を撮像する。信号機４０は、交差点９０に設置されている。なお、データセンタ５０は、図示しない遠隔地のオフィス等に配置されている。
【００３２】
図２に示すように、交差点９０において、車両８８１と車両８８２とが衝突する事故が発生したとする。車両８００のドライブレコーダ８０は、衝突事故を撮像している。このように撮像された映像が、本発明の「特定映像」の一例に対応する。
【００３３】
データセンタ５０は、事故の検証等に用いるため、ドライブレコーダ８０が撮像した映像を必要とする。このような場合に、以下に具体的に示す特定映像収集システム１０の構成および処理は、有効である。
【００３４】
（各部の構成の説明）
（ドライブレコーダ８０の説明）
図３は、ドライブレコーダの概略構成を示す機能ブロック図である。図３に示すように、ドライブレコーダ８０は、カメラ８０１、演算部８０２、記憶部８０３、操作部８０４、表示部８０５、および、通信部８０６を備える。カメラ８０１、演算部８０２、記憶部８０３、操作部８０４、表示部８０５、および、通信部８０６は、例えば、データバスによって接続される。例えば、演算部８０２は、ＩＣ等の所定の電子回路によって実現され、記憶部８０３は、半導体メモリ等の記憶デバイスによって実現される。また、操作部８０４は、例えば、タッチパネル、レバー、ボタン等によって実現され、表示部８０５は、例えば、液晶ディスプレイ、ＬＥＤランプ、ＬＥＤディスプレイ等の薄型や小型で比較的簡素な表示デバイスによって実現される。通信部８０６は、無線通信用のアンテナと所定の電子回路によって実現される。
【００３５】
カメラ８０１は、車外を撮像して、映像ファイルを生成する。記憶部８０３は、映像ファイルを記憶する。映像ファイルには、撮像時刻が関連付けされて記憶されている。また、記憶部８０３には、ドライブレコーダ８０の識別情報が記憶されている。
【００３６】
演算部８０２は、映像ファイルに基づいてハッシュ値（第１ハッシュ値）を生成する。また、演算部８０２は、第１ハッシュ値とドライブレコーダ８０の識別情報とから第１予備データ（図７参照）を生成する。また、演算部８０２は、データセンタ５０から提供依頼データを受信した場合に、提供依頼データに基づいて、提供すべき映像ファイルを、記憶部８０３から読み出す。この際、演算部８０２は、提供依頼データに含まれる映像ファイルを特定できる情報（上述の付帯情報やファイル名等）に基づいて、映像ファイルを読み出す。
【００３７】
通信部８０６は、第１予備データを、信号機４０に送信する。また、通信部８０６は、提供依頼データの受信後において、提供すべき映像ファイルを、データセンタ５０に送信する。
【００３８】
操作部８０４は、ユーザからの操作入力を受け付ける。例えば、データセンタ５０から提供依頼データを受信して、これをユーザが許諾して、映像ファイルを送信する際の操作に、操作部８０４は、利用される。
【００３９】
表示部８０５は、ドライブレコーダ８０の各種の動作状態の表示、操作状態の表示、記憶部８０３に記憶されている映像ファイルの一覧の表示等を行う。
【００４０】
（信号機４０の説明）
図４は、信号機の概略構成を示す機能ブロック図である。図４に示すように、信号機４０は、信号機機能部４１、通信制御部４２、および、無線通信用のアンテナ４３を備える。信号機機能部４１は、通信制御部４２に接続する。通信制御部４２は、ネットワーク５５０に接続するとともにアンテナ４３に接続する。通信制御部４２は、所定の電子回路によって実現される。
【００４１】
信号機機能部４１は、所謂、信号機としての機能を実行する部分である。
【００４２】
通信制御部４２は、アンテナ４３を介して、ドライブレコーダ８０と無線通信する。また、通信制御部４２は、ネットワーク５５０を介して、データセンタ５０と通信する。通信制御部４２は、計時機能を有している。通信制御部４２は、ドライブレコーダ８０から第１予備データを受信すると、受信時刻を検出する。通信制御部４２は、信号機４０の位置情報を予め記憶している。通信制御部４２は、受信時刻からなる時刻情報と、信号機４０の位置情報とから、付帯情報を生成する。通信制御部４２は、第１予備データと付帯情報とから、第２予備データ（図７参照）を生成する。通信制御部４２は、第２予備データを、ネットワーク５５０を介して、データセンタ５０に送信する。
【００４３】
（データセンタ５０の説明）
図５は、データセンタの概略構成を示す機能ブロック図である。図５に示すように、データセンタ５０は、データベース５００、センタ演算部５０１、センタ通信部５０２、操作部５０３、および、表示部５０４を備える。データベース５００、センタ演算部５０１、センタ通信部５０２、操作部５０３、および、表示部５０４は、例えば、データバスによって接続されている。
【００４４】
データベース５００は、磁気ディスクデバイス等の記録媒体によって実現される。
【００４５】
センタ演算部５０１は、ＣＰＵ等の演算処理装置と、演算処理装置によって実行されるプログラムと、によって実現される。センタ通信部５０２は、ネットワーク５５０へのインターフェース端子と、無線用のアンテナと、所定の電子回路と、によって実現される。操作部５０３は、例えば、キーボード、マウス、タッチパネル等によって実現される。表示部５０４は、例えば、液晶ディスプレイ等の比較的多くの情報を一度に表示可能な表示デバイスによって実現される。
【００４６】
データベース５００には、これまでに受信した第２予備データが記録（蓄積）されている。また、データベース５００に映像ファイルの記録領域を設けていれば、映像ファイルも記録されている。
【００４７】
センタ演算部５０１は、操作部５０３を介して入力された、映像ファイルの提供依頼に基づいて、この映像ファイルに対応する第２予備データを、データベース５００から読み出す。センタ演算部５０１は、第２予備データからドライブレコーダ８０の識別情報および付帯情報を抽出する。センタ演算部５０１は、ドライブレコーダ８０の識別情報、および、付帯情報を用いて、提供依頼データを生成する。
【００４８】
センタ演算部５０１は、提供依頼データに対して送られてきた映像ファイルを用いてハッシュ値（第２ハッシュ値）を生成する。センタ演算部５０１は、提供依頼データの元となる第２予備データをデータベース５００から読み出し、第１ハッシュ値を抽出する。センタ演算部５０１は、第２ハッシュ値と第１ハッシュ値とを照合する。センタ演算部５０１は、第２ハッシュ値と第１ハッシュ値とが一致すれば、映像ファイルを採用する。採用した場合、例えば、センタ演算部５０１は、映像ファイルを、データベース５００における映像ファイルの記録領域に記録する。なお、映像ファイルは、データベース５００とは別の記録媒体に記録されてもよい。
【００４９】
センタ通信部５０２は、ネットワーク５５０を介して、信号機４０から第２予備データを受信する。第２予備データは、データベース５００に記憶される。また、センタ通信部５０２は、提供依頼データを、ドライブレコーダ８０、または、ドライブレコーダ８０の所有者の情報通信端末に送信する。
【００５０】
さらに、センタ通信部５０２は、提供依頼データに対して送られてきた映像ファイルを受信する。センタ通信部５０２は、この映像ファイルを、センタ演算部５０１に出力する。
【００５１】
操作部５０３および表示部５０４は、提供を依頼する映像ファイルが含まれていると考えられる第２予備データの選択時、提供依頼データの生成時、受信した映像ファイルの確認時等に用いられる。
【００５２】
（特定映像収集方法の具体的な説明）
次に、上述の構成において、特定映像収集方法について、具体的に説明する。図６は、特定映像収集システムの処理シーケンスを示す図である。図７は、予備データのデータ構成を示す図である。なお、以下の説明では、ドライブレコーダ８０、信号機４０、および、データセンタ５０の各機能部を用いた詳細な説明は、必要な箇所を除いて省略し、各処理を行う装置として、ドライブレコーダ８０、信号機４０、および、データセンタ５０を用いて説明する。
【００５３】
図６に示すように、ドライブレコーダ８０は、事故を撮像し、映像ファイルを生成する。なお、ドライブレコーダ８０の動作は、自動であってもよく、手動であってもよい。カメラ８０１は、映像ファイルを記憶する。この際、撮像時刻が、映像ファイルに関連付けして記憶されている。
【００５４】
ドライブレコーダ８０は、映像ファイルを用いてハッシュ値（第１ハッシュ値）を生成する。さらに、ドライブレコーダ８０は、ハッシュ値と、ドライブレコーダ８０の識別情報とを用いて、図７に示すような第１予備データを生成する。ドライブレコーダ８０の識別番号は、例えば、ドライブレコーダ８０の製造番号等、ドライブレコーダ８０に基づくものであってもよく、ドライブレコーダ８０が搭載された車両８００の車両場号等の車両８００に基づくものであってもよい。ドライブレコーダ８０は、事故の発生位置に近い信号機４０に対して、第１予備データを送信する。なお、第１予備データには、後に映像ファイルを特定できる情報（例えば、ファイル名等）を添付しているとよい。
【００５５】
信号機４０は、第１予備データを受信すると、受信時刻を検出する。信号機４０は、この受信時刻を、第１予備データに対する時刻情報とする。信号機４０は、自機の位置、言い換えれば、交差点９０の位置を、位置情報として記憶している。
【００５６】
信号機４０は、時刻情報と位置情報とから付帯情報を生成する。信号機４０は、第１予備データと付帯情報とを用いて、図７に示すような第２予備データを生成する。信号機４０は、第２予備データを、ネットワーク５５０を介して、データセンタ５０に送信する。
【００５７】
データセンタ５０は、第２予備データを受信する。データセンタ５０は、第２予備データをデータベース５００に記録する。データベース５００には、このように記録された複数の第２予備データが蓄積されている。
【００５８】
警察等の事故の捜査者は、データセンタ５０に対して操作し、提供依頼の対象とする映像ファイル（特定映像を含む映像ファイル）を検索する。この際、映像ファイルは、第２予備データに含まれる付帯情報によって検索される。例えば、事故の発生時刻は分かっている。そして、第２予備データに含まれる時刻情報は、概ね事故の発生時刻に近い。また、事故の発生地点は分かっている。そして、第２予備データに含まれる位置情報は、事故の発生地点に近い。捜査者は、これら時刻情報と位置情報から、提供依頼の対象とする映像ファイルを検索する。
【００５９】
そして、捜査者が、提供依頼の対象とする映像ファイルに関連する第２予備データを選択すると、データセンタ５０は、提供依頼データを生成する。提供依頼データには、例えば、第２予備データに含まれる付帯情報（時刻情報や位置情報）が含まれている。データセンタ５０は、選択された第２予備データから、ドライブレコーダ８０の識別情報を抽出する。
【００６０】
データセンタ５０は、識別情報から、提供依頼データの送信先を検出する。例えば、識別情報に、ドライブレコーダ８０のネットワークアドレスが関連付けられていれば、このネットワークアドレスが、送信先となる。また、識別情報に、ドライブレコーダ８０の所有者の情報通信端末のネットワークアドレスやメールアドレスが関連付けられていれば、このネットワークアドレスやメールアドレスが、送信先となる。
【００６１】
データセンタ５０は、提供依頼データの識別情報を第２予備データに関連付けし、第２予備データを、データベース５００に上書き記録する。
【００６２】
ドライブレコーダ８０もしくはその所有者の情報通信端末は、提供依頼データを受信する。ドライブレコーダ８０またはその所有者は、提供依頼データに含まれる時刻情報等から対象の映像ファイルを検出する。なお、提供依頼データにファイル名が含まれてる場合であれば、ドライブレコーダ８０またはその所有者は、提供依頼データに含まれるファイル名を用いて、対象の映像ファイルを検出することもできる。対象となる映像ファイルが残っており、例えば所有者が提供に同意すれば、ドライブレコーダ８０は、映像ファイルを、データセンタ５０に送信する。この際、ドライブレコーダ８０は、提供依頼データの識別情報を添付して、映像ファイルを送信する。
【００６３】
データセンタ５０は、ドライブレコーダ８０からの映像ファイルを受信する。データセンタ５０は、映像ファイルからハッシュ値（第２ハッシュ値）を生成する。データセンタ５０は、映像ファイルに添付された提供依頼データの識別番号を用いて、データベース５００に記録されている、照合対象の第２予備データを読み出す。
【００６４】
データセンタ５０は、第２予備データから第１ハッシュ値を読み出し、第１ハッシュ値と第２ハッシュ値とを照合する。データセンタ５０は、第１ハッシュ値と第２ハッシュ値とが一致していれば、第２ハッシュ値の元となる映像ファイルを採用する。
【００６５】
以上のように、本実施形態の構成および処理を用いることによって、特定映像収集システム１０および特定映像収集方法は、データベース５００に蓄積されるデータ容量を抑制できる。また、特定映像収集システム１０および特定映像収集方法は、提供された映像ファイルが改ざん等されていないものであることを正確に識別できる。これにより、特定映像収集システム１０および特定映像収集方法は、正確な映像ファイルを確実に収集できる。
【００６６】
なお、上述のシステムとしての処理を実行する場合、ドライブレコーダ８０、信号機４０、および、データセンタ５０は、例えば、次に示す処理フローを実行すればよい。なお、各処理の詳細な説明は、上述しており、必要な箇所以外は簡潔に説明する。
【００６７】
（ドライブレコーダ８０の処理フロー）
図８は、ドライブレコーダの処理フローの一例を示すフローチャートである。ドライブレコーダ８０は、撮像し（Ｓ１１）、映像ファイルを生成する（Ｓ１２）。ドライブレコーダ８０は、映像ファイルのハッシュ値（第１ハッシュ値）を生成する（Ｓ１３）。ドライブレコーダ８０は、第1ハッシュ値とドライブレコーダ８０の識別情報とから、第1予備データを生成し、送信する（Ｓ１４）。
【００６８】
（信号機４０の処理フロー）
図９は、信号機の処理フローの一例を示すフローチャートである。信号機４０は、第1予備データを受信する（Ｓ２１）。信号機４０は、第1予備データの受信時刻から時刻情報を生成する（Ｓ２２）。信号機４０は、信号機４０の位置情報、時刻情報、および、第１予備データから、第２予備データを生成し、送信する（Ｓ２３）。
【００６９】
（データセンタ５０の処理フロー）
図１０（Ａ）は、データセンタにおける第２予備データの受信時の処理フローの一例を示すフローチャートである。データセンタ５０は、第２予備データを受信し（Ｓ３１）、第２予備データをデータベース５００に記録する（Ｓ２２）。
【００７０】
図１０（Ｂ）は、データセンタにおける映像ファイルの要求から受信、照合時の処理フローの一例を示すフローチャートである。データセンタ５０は、提供依頼データを生成し（Ｓ４１）、ドライブレコーダ８０もしくはその所有者宛に送信する（Ｓ４２）。データセンタ５０は、映像ファイルを受信する（Ｓ４３）。データセンタ５０は、映像ファイルからハッシュ値（第２ハッシュ値）を生成する（Ｓ４４）。データセンタ５０は、第２ハッシュ値と第１ハッシュ値とを照合する（Ｓ４５）。データセンタ５０は、照合できれば（Ｓ４６：ＹＥＳ）、映像ファイルを採用する（Ｓ４７）。データセンタ５０は、照合できなければ（Ｓ４６：ＮＯ）、映像ファイルを採用しない（Ｓ４８）。なお、この際、照合できなかった映像ファイルは改ざんの可能性等があり、これに対応する第２予備データは、信頼性が低いため、データセンタ５０は、この第２予備データを、データベース５００から削除してもよい。
【００７１】
（第２実施形態）
本発明の第２の実施形態に係る特定映像収集システムおよび特定映像収集方法について、図を参照して説明する。図１１は、特定映像収集システムの第２の処理シーケンスを示す図である。
【００７２】
図１１に示すように、第２の特定映像収集システム１０Ａは、ドライブレコーダ８０とデータセンタ５０とを備える。特定映像収集システム１０Ａは、特定映像収集システム１０の信号機４０を省略した構成である。この場合、次のように、処理は実行される。
【００７３】
ドライブレコーダ８０は、特定映像を撮像し、映像ファイルを生成する。ドライブレコーダ８０は、映像ファイルを用いてハッシュ値を生成する。ドライブレコーダ８０は、例えば、測位機能を有する。ドライブレコーダ８０は、撮像時の位置を測位し、位置情報を生成する。また、ドライブレコーダ８０は、撮像した時刻を時刻情報として生成する。ドライブレコーダ８０は、位置情報と時刻情報とから付帯情報を生成する。
【００７４】
ドライブレコーダ８０は、ハッシュ値（第１ハッシュ値）と、ドライブレコーダ８０の識別情報と、付帯情報とを用いて、第３予備データを生成し、データセンタ５０に送信する。
【００７５】
データセンタ５０は、第３予備データを受信して、データベース５００に記憶する。
【００７６】
データセンタ５０は、第３予備データを参照して、映像ファイルの提供を依頼する提供依頼データを生成する。データセンタ５０は、ドライブレコーダ８０もしくはドライブレコーダ８０の持ち主の情報通信端末に送信する。
【００７７】
ドライブレコーダ８０は、提供依頼データを受信し、映像ファイルを、データセンタ５０に送信する。
【００７８】
データセンタ５０は、映像ファイルを受信する。データセンタ５０は、受信した映像ファイルを用いてハッシュ値（第２ハッシュ値）を生成する。データセンタ５０は、第２ハッシュ値と第１ハッシュ値とを照合する。データセンタ５０は、第２ハッシュ値と第１ハッシュ値とが一致すれば、受信した映像ファイルを採用する。
【００７９】
このような構成および処理であっても、特定映像収集システム１０Ａは、第１の実施形態に係る特定映像収集システム１０と同様の作用効果を奏することができる。
【００８０】
なお、本実施形態の構成では、付帯情報における時刻情報は、データセンタ５０が予備データを受信した受信時刻としてもよい。この場合、ドライブレコーダ８０から送信される第３予備データの付帯情報は、位置情報のみとしてもよい。
【００８１】
（第３実施形態）
本発明の第３の実施形態に係る特定映像収集システムおよび特定映像収集方法について、図を参照して説明する。図１２は、特定映像収集システムの第３の処理シーケンスを示す図である。
【００８２】
図１２に示すように、第３の実施形態に係る特定映像収集システム１０Ｂは、第２の実施形態に係る特定映像収集システム１０Ａにおけるドライブレコーダ８０を撮像装置８０Ｂに置き換えたものである。特定映像収集システム１０Ｂにおける他の構成は、特定映像収集システム１０Ａと同様である。
【００８３】
撮像装置８０Ｂは、例えば、スマートフォン等のカメラ付きの携帯型情報通信端末、通信機能付きのデジタルカメラ、通信機能付きのデジタルビデオカメラ等である。この場合、特定映像は、災害、事件等の撮影対象イベントの映像である。
【００８４】
このように、本発明の構成および処理は、車両に関するものだけでなく、他のものにも適用が可能である。また、収集する情報は、映像ファイル（映像データ）に限らず、画像データ、音声データ等であってもよく、各種のセンサで取得可能なデータ、データの所有者等の操作によって取得できるデータ等であってもよい。
【符号の説明】
【００８５】
１０、１０Ａ、１０Ｂ：特定映像収集システム
４０：信号機
４１：信号機機能部
４２：通信制御部
４３：アンテナ
５０：データセンタ
８０：ドライブレコーダ
８０Ｂ：撮像装置
９０：交差点
５００：データベース
５０１：センタ演算部
５０２：センタ通信部
５０３：操作部
５０４：表示部
５５０：ネットワーク
８００、８８１、８８２：車両
８０１：カメラ
８０２：演算部
８０３：記憶部
８０４：操作部
８０５：表示部
８０６：通信部
【図１】
2020149518.tif 000003
【図２】
2020149518.tif 000004
【図３】
2020149518.tif 000005
【図４】
2020149518.tif 000006
【図５】
2020149518.tif 000007
【図６】
2020149518.tif 000008
【図７】
2020149518.tif 000009
【図８】
2020149518.tif 000010
【図９】
2020149518.tif 000011
【図１０】
2020149518.tif 000012
【図１１】
2020149518.tif 000013
【図１２】
2020149518.tif 000014